(57)【要約】【課題】長時間使用した場合でも快適な装着感を維持することができる上に、高感度で、装着時に目立ちにくい小型の骨伝導スピーカ及びこれを用いた眼鏡を提供する。【解決手段】頭部の骨に機械的な振動を加えることによって音を伝えるようにした骨伝導スピーカであって、振動方向の一方が眼鏡ＧＳ１に固定され、且つ、頭部を擦るようにして頭部の骨を振動させる振動子を有してなる骨伝導スピーカ１０とした。【選択図】図２
2005151292.tif 000002
【特許請求の範囲】
【請求項１】
頭部の骨に機械的な振動を加えることによって音を伝えるようにした骨伝導スピーカであって、振動方向の一方が質量部材に固定され、且つ、前記頭部を擦るようにして前記頭部の骨を振動させる振動子を有してなることを特徴とする骨伝導スピーカ。
【請求項２】
請求項１において、
前記振動子は、磁歪部材からなることを特徴とする骨伝導スピーカ。
【請求項３】
頭部の骨に機械的な振動を加えることによって音を伝えるようにした骨伝導スピーカであって、振動方向の一方が質量部材に固定され、且つ、前記頭部を叩くようにして前記頭部の骨を振動させる磁歪部材を有してなることを特徴とする骨伝導スピーカ。
【請求項４】
請求項２又は３において、
前記磁歪部材は、超磁歪素子を材料とする超磁歪部材からなることを特徴とする骨伝導スピーカ。
【請求項５】
請求項１乃至４のいずれかにおいて、
前記質量部材が眼鏡とされ、且つ、前記振動方向の一方が眼鏡のつるに固定されていることを特徴とする骨伝導スピーカ。
【請求項６】
請求項５において、
前記眼鏡のつるの一部を構成していることを特徴とする骨伝導スピーカ。
【請求項７】
請求項５又は６において、
前記眼鏡のつるの端部近傍に配置されていることを特徴とする骨伝導スピーカ。
【請求項８】
請求項１乃至７のいずれかにおいて、
耳裏近傍に配置されていることを特徴とする骨伝導スピーカ。
【請求項９】
請求項１乃至８のいずれかに記載の骨伝導スピーカを有してなることを特徴とする骨伝導スピーカを用いた眼鏡。
【請求項１０】
請求項９において、
つるの端部が外耳道の側壁に当接されていることを特徴とする骨伝導スピーカを用いた眼鏡。
【請求項１１】
請求項９又は１０において、
更に、無線通信手段を備え、前記つるが前記無線通信手段のアンテナを兼ねていることを特徴とする骨伝導スピーカを用いた眼鏡。
【発明の詳細な説明】
【技術分野】
【０００１】
本発明は、骨伝導式のスピーカ及びこれを用いた眼鏡に関する。
【背景技術】
【０００２】
従来、頭部の骨、例えば頭骸骨等に機械的な振動を加えることによって音を伝えるようにした、いわゆる骨伝導式のスピーカが広く知られている。このような骨伝導スピーカＳＰは、例えば、図８（Ａ）に示されるヘッドセットＨＳのように、ヘッドバンド１の両端に取り付けられたり、又、図８（Ｂ）に示される眼鏡ＧＳのように、つる２の端部に組み込まれ、その振動面が頭部に当接するように配置される（例えば、特許文献１参照。）。
【０００３】
図９に示される従来公知の骨伝導スピーカ３は、ハウジング４を備え、このハウジング４内には、ヨーク５の中心磁極５Ａに巻回されたボイスコイル６と、このボイスコイル６の外周部に配置された磁石７と、この磁石７の上部に配置された振動板８が収容されている（特許文献２参照。）。骨伝導スピーカ３は、ヘッドセットＨＳや眼鏡ＧＳ等を介して、ハウジング４の振動面４Ａが頭部に当接するように配置される。
【０００４】
この骨伝導スピーカ３のボイスコイル６に音声信号やオーディオ信号が入力されると、この信号に応じて振動板８が上下方向に振動する。そして、この振動がハウジング４に伝達される結果、ハウジング４の振動面４Ａが頭部を叩くようにして頭部の骨を振動し、骨伝導によって音が伝えられる。
【０００５】
【特許文献１】特開２００３−１８６８３号公報
【特許文献２】特開２００２−１６５２９７号公報
【発明の開示】
【発明が解決しようとする課題】
【０００６】
しかしながら、この従来公知の骨伝導スピーカ３において感度を高めるには、振動面４Ａの面積を広げることによって頭部との接触面積を広くする必要がある。このため、装置が大型化しやすく、装着時に目立ちやすくなってしまう上に、広範囲に渡って頭部に所定の圧力が断続的に加えられることになるため、長時間使用した場合には、接触面において痛感を感じる場合があった。
【０００７】
本発明は、このような問題点を解決するためになされたものであって、長時間使用した場合でも快適な装着感を維持することができる上に、高感度で、装着時に目立ちにくい小型の骨伝導スピーカ及びこれを用いた眼鏡を提供することを目的とする。
【課題を解決するための手段】
【０００８】
本発明の発明者は、研究の結果、長時間使用した場合でも快適な装着感を維持することができる上に、高感度で、装着時に目立ちにくい小型の骨伝導スピーカ及びこれを用いた眼鏡を見出した。
【０００９】
即ち、次のような本発明により、上記目的を達成することができる。
【００１０】
（１）頭部の骨に機械的な振動を加えることによって音を伝えるようにした骨伝導スピーカであって、振動方向の一方が質量部材に固定され、且つ、前記頭部を擦るようにして前記頭部の骨を振動させる振動子を有してなることを特徴とする骨伝導スピーカ。
【００１１】
（２）前記振動子は、磁歪部材からなることを特徴とする前記（１）記載の骨伝導スピーカ。
【００１２】
（３）頭部の骨に機械的な振動を加えることによって音を伝えるようにした骨伝導スピーカであって、振動方向の一方が質量部材に固定され、且つ、前記頭部を叩くようにして前記頭部の骨を振動させる磁歪部材を有してなることを特徴とする骨伝導スピーカ。
【００１３】
（４）前記磁歪部材は、超磁歪素子を材料とする超磁歪部材からなることを特徴とする前記（２）又は（３）記載の骨伝導スピーカ。
【００１４】
（５）前記質量部材が眼鏡とされ、且つ、前記振動方向の一方が眼鏡のつるに固定されていることを特徴とする前記（１）乃至（４）のいずれかに記載の骨伝導スピーカ。
【００１５】
（６）眼鏡のつるの一部を構成していることを特徴とする前記（５）記載の骨伝導スピーカ。
【００１６】
（７）前記眼鏡のつるの端部近傍に配置されていることを特徴とする前記（５）又は（６）記載の骨伝導スピーカ。
【００１７】
（８）耳裏近傍に配置されていることを特徴とする前記（１）乃至（７）のいずれかに記載の骨伝導スピーカ。
【００１８】
（９）前記（１）乃至（８）のいずれかに記載の骨伝導スピーカを有してなることを特徴とする骨伝導スピーカを用いた眼鏡。
【００１９】
（１０）つるの端部が外耳道の側壁に当接されていることを特徴とする前記（９）記載の骨伝導スピーカを用いた眼鏡。
【００２０】
（１１）更に、無線通信手段を備え、前記つるが前記無線通信手段のアンテナを兼ねていることを特徴とする前記（９）又は（１０）記載の骨伝導スピーカを用いた眼鏡。
【発明の効果】
【００２１】
本発明に係る小型の骨伝導スピーカ及びこれを用いた眼鏡は、長時間使用した場合でも快適な装着感を維持することができる上に、高感度で、装着時に目立ちにくいという優れた効果を有する。
【発明を実施するための最良の形態】
【００２２】
本発明は、頭部の骨に機械的な振動を加えることによって音を伝えるようにした骨伝導スピーカであって、振動方向の一方が質量部材に固定され、且つ、前記頭部を擦るようにして前記頭部の骨を振動させる振動子を有してなる骨伝導スピーカとすることによって、上記課題を解決したものである。
【００２３】
又、本発明は、頭部の骨に機械的な振動を加えることによって音を伝えるようにした骨伝導スピーカであって、振動方向の一方が質量部材に固定され、且つ、前記頭部を叩くようにして前記頭部の骨を振動させる磁歪部材を有してなる骨伝導スピーカとすることによって、上記同様の課題を解決したものである。
【００２４】
なお、本発明における「質量部材」とは、骨伝導スピーカの振動を受止めることができる、一定の質量を有する部材といい、例えば、眼鏡やヘッドセット等が該当する。
【００２５】
以下、本発明の実施例１、実施例２を図面に基づいて詳細に説明する。
【実施例１】
【００２６】
図１〜図３に示されるように、本発明の実施例１に係る骨伝導スピーカ１０は、眼鏡ＧＳ１のつる１１の端部に連結された略円筒形状のアルミ製のケース１２を備えている。
【００２７】
このケース１２内には、その中央位置近傍に配置された第１バイアス磁石１４と、この第１バイアス磁石１４を挟むように軸方向に分割して配置された超磁歪部材１６（１６Ａ、１６Ｂ）と、この超磁歪部材１６の更に軸方向外側に配置された第２、第３バイアス磁石１８、２０と、超磁歪部材１６の外周を囲むように配置された駆動コイル２２が収容されると共に、ケース１２の一端側に嵌められたネジ２４によって固定されている。
【００２８】
この骨伝導スピーカ１０は、耳裏近傍に、超磁歪部材１６の振動方向Ｘが頭部に対して略平行となるように配置される。
【００２９】
超磁歪部材１６は、超磁歪素子を材料として用いている。ここで、「超磁歪素子」とは、希土類元素および／または特定の遷移金属などを主成分（例えば、テルビウム、ジスプロシウム、鉄など）とする粉末焼結合金あるいは単結晶合金から作られた磁歪素子をいい、外部から磁界が加えられると大きな変位を生じる性質を有している。
【００３０】
駆動コイル２２には、リード線２６を介してジャック２８が取り付けられている。この駆動コイル２２は、ジャック２８に接続される補聴器やオーディオ再生機器等からの音声信号やオーディオ信号に応じて、超磁歪部材１６の軸方向の磁界を変化させる。
【００３１】
次に、骨伝導スピーカ１０の作用について説明する。
【００３２】
リード線２６を介して、駆動コイル２２に音声信号やオーディオ信号が入力されると、これらの信号に応じた駆動電流によって駆動コイル２２のコイル磁界が変化する。このコイル磁界の変化に伴って、超磁歪部材１６が軸方向に伸縮し、ケース１２が頭部を擦るようにしてＸ方向に頭部の骨を振動する。そして、この振動が頭部の骨を介して脳に伝えられ、使用者は音声を認識することになる。
【００３３】
本発明の実施例１に係る骨伝導スピーカ１０によれば、振動方向の一方が眼鏡ＧＳ１（質量部材）に固定され、且つ、頭部を擦るようにして頭部の骨を振動させる超磁歪部材（振動子）１６を有してなるため、小型化を実現しつつ、同時に、頭部との接触面積を広くすることができ、装着時に目立ちにくい上に、感度を向上することができる。又、頭部に圧力が加えられることがなく、長時間使用した場合でも快適な装着感を維持することができる。
【００３４】
特に、振動子は超磁歪部材からなるため、より一層の小型化及び感度の向上が可能であると共に、細長い形状に成形することができ、眼鏡のつる等に容易に適用することができる。
【００３５】
更に、骨伝導スピーカ１０を耳裏近傍に配置しているため、骨伝導による感度を更に向上することができる上に、正面から見た場合に、装着が目立ちにくい。
【実施例２】
【００３６】
次に、本発明の実施例２に係る骨伝導スピーカ３０について説明する。
【００３７】
図４及び図５に示されるように、この骨伝導スピーカ３０は、超磁歪部材の振動方向が頭部に対して略垂直（図５中のＹ方向）となるように配置されており、骨伝導スピーカ３０が頭部を叩くようにして頭部の骨を振動するようになっている。又、この骨伝導スピーカ３０は、眼鏡ＧＳ２のつる３１の一部を構成している。なお、構造自体は実施例１に係る骨伝導スピーカ１０と同様であるため、その説明は省略する。
【００３８】
本発明の実施例２に係る骨伝導スピーカ３０によれば、振動方向の一方が眼鏡ＧＳ２（質量部材）に固定され、且つ、頭部を叩くようにして頭部の骨を振動させる超磁歪部材を有してなるため、小型化及び感度の向上が可能であると共に、細長い形状に成形することができる。そのため、頭部を叩くように振動させるタイプの骨伝導スピーカでありながら、頭部との接触面積を広げることなく感度を向上することができる。又、実施例１に係る骨伝導スピーカ１０と同様に、長時間使用した場合でも快適な装着感を維持することができる上に、装着時に目立ちにくい。
【００３９】
又、骨伝導スピーカ３０自体が眼鏡ＧＳ２のつる３１の一部を構成しているため、骨伝導スピーカ３０を、より一層目立たなくすることができる。
【００４０】
更に、骨伝導スピーカ３０は眼鏡ＧＳ２のつる３１の端部近傍に配置されているため、振動をより増大させることができる。
【００４１】
なお、本発明に係る骨伝導スピーカは、上記実施例１、実施例２における骨伝導スピーカ１０、３０の形状や構造等に限定されるものではなく、例えば、感度をそれほど高める必要がない場合には、超磁歪部材１６の代わりに磁歪部材を適用してもよい。又、実施例１においては、圧電セラミック等の圧電部材を振動子に適用してもよい。更に、ケース１２はアルミ製のものに限定されるものではない。なお、ケース１２は超磁歪部材１６の振動を伝達する役割を果たすため、振動伝達性に優れる弾性を有した非磁性部材で形成するのが好ましい。
【００４２】
又、上記実施例１においては、骨伝導スピーカ１０を眼鏡ＧＳ１のつる１１の端部に取り付けた例を、更に、上記実施例２においては、骨伝導スピーカ３０が眼鏡ＧＳ２のつる３１の一部を構成するようにした例をそれぞれ示したが、本発明に係る骨伝導スピーカを用いた眼鏡はこれに限定されるものではない。
【００４３】
従って、例えば、図６に示される眼鏡ＧＳ３のように、つる３２の端部を外耳道の側壁に当接するようにすれば、つる３２を介して外耳道からも骨伝導によって音を伝えることができ、更に感度を向上させることができる。
【００４４】
更に、図７に示される眼鏡ＧＳ４のように、無線通信手段である無線通信装置３４を備え、つる３６が無線通信装置３４のアンテナを兼ねるようにすれば、補聴器やオーディオ再生機器等からの音声信号やオーディオ信号を無線で受信することができるようになる。
【産業上の利用可能性】
【００４５】
本発明に係る骨伝導スピーカ及びこれを用いた眼鏡は、補聴器やオーディオ再生機器等のスピーカとして適用することができる。
【図面の簡単な説明】
【００４６】
【図１】本発明の実施例１に係る骨伝動スピーカを示す概略側断面図
【図２】図１における骨伝動スピーカを眼鏡のつるに取り付けた例を示す概略図
【図３】図２における矢視IIIから見た概略図
【図４】本発明の実施例２に係る骨伝動スピーカが眼鏡のつるの一部を構成している例を示す概略図
【図５】図４における矢視Ｖから見た概略図
【図６】図１における眼鏡のつるの端部を外耳道の側壁に当接するようにした例を示す概略図
【図７】図１における骨伝動スピーカに無線通信装置を備えた例を示す概略図
【図８】従来の骨伝導スピーカをヘッドセットに適用した例を示す概略図（Ａ）、及び従来の骨伝導スピーカを眼鏡に適用した例を示す概略図（Ｂ）
【図９】従来の骨伝導スピーカを示す概略側断面図
【符号の説明】
【００４７】
ＨＳ…ヘッドセット
ＧＳ、ＧＳ１〜ＧＳ４…眼鏡
１…ヘッドバンド
２、１１、３１、３２…つる
３、１０、３０…骨伝導スピーカ
４…ハウジング
４Ａ…振動面
５…ヨーク
５Ａ…中心磁極
６…ボイスコイル
７…磁石
８…振動板
１２…ケース
１４…第１バイアス磁石
１６…超磁歪部材
１８…第２バイアス磁石
２０…第３バイアス磁石
２２…駆動コイル
２４…ネジ
２６…リード線
２８…ジャック
３４…無線通信装置
３６…アンテナ
【図１】
2005151292.tif 000003
【図２】
2005151292.tif 000004
【図３】
2005151292.tif 000005
【図４】
2005151292.tif 000006
【図５】
2005151292.tif 000007
【図６】
2005151292.tif 000008
【図７】
2005151292.tif 000009
【図８】
2005151292.tif 000010
【図９】
2005151292.tif 000011